(57)【要約】      （修正有）【課題】表示装置の表示部と保護カバーとの間の隙間に異物が入り込んだり、物が指が引っ掛かかったりすることを抑制できる保護カバーを提供する。【解決手段】周縁部が曲面状に面取りされた曲面部１０１Ａとされるとともに前記周縁部の内側が曲面部１０１Ａに連なる平坦な表示面１０１Ｂとされた表示部１０１を備える表示装置１００の表示部１０１を保護する保護カバー１０であって、表示面１０１Ｂに貼付するための粘着層１３を備える平板状の表示面カバー部２５と、表示面カバー部２５の周縁部において表示部１０１側に向けて突出し、表示面カバー部２５と曲面部１０１Ａとの間に形成される隙間の少なくとも一部を塞ぐ保護壁３０と、を備える。【選択図】図７
0003200539.tif 000002
【実用新案登録請求の範囲】
【請求項１】
周縁部が曲面状に面取りされた曲面部とされるとともに前記周縁部の内側が前記曲面部に連なる平坦な表示面とされた表示部を備える表示装置の前記表示部を保護する保護カバーであって、
前記表示面に貼付するための粘着層を備える平板状の表示面カバー部と、
前記表示面カバー部の周縁部において前記表示部側に向けて突出し、前記表示面カバー部と前記曲面部との間に形成される隙間の少なくとも一部を塞ぐ保護壁と、を備える表示装置の保護カバー。
【請求項２】
前記保護壁は、その基端側に配された軟質層と、先端側に配され前記軟質層より硬度が高い硬質層と、を備える請求項１に記載の表示装置の保護カバー。
【請求項３】
前記保護壁は、前記表示面カバー部に印刷された印刷層である請求項１に記載の表示装置の保護カバー。
【考案の詳細な説明】
【技術分野】
【０００１】
本明細書に開示される技術は、例えばスマートフォンやタブレット型ＰＣなどの表示装置の表示部を保護する保護カバーに関する。
【背景技術】
【０００２】
近年、例えばスマートフォンやタブレット型ＰＣなどに代表される表示機能付き通信機器が、急速に普及してきている。その中でもとりわけ携帯用の通信機器は、例えば鞄やポケットに入れて持ち運ばれたり、机等の上に不用意に置かれたり、電話機能が使用される際には肌に密着されたりするため、使用中に表示面が傷ついたり汚れたりするのを防止するべく、しばしば保護カバーが使用されている。
【０００３】
このような保護カバーは、例えば透明性、機械的強度、防汚性等の特性に優れる強化ガラスやＰＭＭＡ製等の硬質の板材を、例えばシリコン系粘着層により、通信機器の表示面に貼り付ける構成とされている。
【先行技術文献】
【特許文献】
【０００４】
【特許文献１】特開２０１５−１０１５１７号公報
【考案の概要】
【考案が解決しようとする課題】
【０００５】
ところで、表示機能付き通信機器については新しいデザインのものが次々発売されており、最近では、表示部の周縁部が面取りされて曲面状とされたデザインのものが増加している。
【０００６】
しかし、このように周縁部が曲面状とされた表示部に従来の平板状の保護カバーを装着した場合、曲面状の周縁部と保護カバーとの間に楔形の隙間が生じる。このような隙間が生じると、この隙間に埃等の異物が入り込んだり、持ち運びの最中や使用時に物や指が引っ掛り保護カバーが表示部から引き剥され易いという問題がある。
【０００７】
そこで、曲面状の周縁部の内側（平板状の領域）のサイズの保護カバーを貼り付けることも考えられるが、そのような構成では、曲面部分を含む表示部全体が保護できないという問題や、美観が悪いという問題がある。
【０００８】
本明細書に開示される技術は上記事情に鑑みて考えられたものであって、例えばスマートフォンやタブレット型ＰＣなどの表示装置の表示部を保護する保護カバーにおいて、表示部と保護カバーとの間の隙間に異物が入り込んだり、物や指が引掛かかったりすることを抑制できる保護カバーを提供することを目的とするものである。
【課題を解決するための手段】
【０００９】
本明細書に開示される技術は、周縁部が曲面状に面取りされた曲面部とされるとともに前記周縁部の内側が前記曲面部に連なる平坦な表示面とされた表示部を備える表示装置の前記表示部を保護する保護カバーであって、前記表示面に貼付するための粘着層を備える平板状の表示面カバー部と、前記表示面カバー部の周縁部において前記表示部側に向けて突出し、前記表示面カバー部と前記曲面部との間に形成される隙間の少なくとも一部を塞ぐ保護壁と、を備えることを特徴とする。
【００１０】
このような構成によれば、表示部の周縁部が曲面状とされている場合でも、表示面カバー部と曲面部との間の隙間の少なくとも一部は保護壁により塞がれるから、隙間に異物が入り込んだり、物や指が引掛かかったりすることを抑制することができる。
【００１１】
また上記保護壁は、その基端側に配された軟質層と、先端側に配され前記軟質層より硬度が高い硬質層と、を備えていてもよい。このような構成によれば、表示部と表示面カバー部との大きさ（寸法）が僅かに異なっていたり、表示部に対して表示面カバー部が僅かにずれて貼り付けられた場合でも、軟質層が僅かに変形することにより、保護壁が表示装置の側面にぴったり沿うように保護カバーを取り付けることが可能である。
【００１２】
また上記保護壁は、表示面カバー部に印刷された印刷層であってもよい。
【考案の効果】
【００１３】
本明細書に開示される技術によれば、表示装置の表示部を保護する保護カバーにおいて、表示部の周縁部が面取りされて曲面状とされている場合でも、表示部と保護カバーとの間の隙間に異物が入り込んだり、物や指が引掛かかったりすることを抑制できる保護カバーを提供することができる。
【図面の簡単な説明】
【００１４】
【図１】実施形態１の保護カバーの概略的な一部拡大断面図
【図２】保護カバーの製造過程において基材シートに印刷層を形成した状態を示す一部拡大断面図
【図３】同じく硬化樹脂層を形成した状態を示す一部拡大断面図
【図４】保護カバーの概略的な一部拡大分解断面図
【図５】保護カバーを表示装置に装着した状態を示す平面図
【図６】保護カバーの裏面側の一部拡大斜視図
【図７】保護カバーを表示装置に装着した状態を示す概略的な一部拡大断面図
【図８】実施形態２の保護カバーの概略的な一部拡大断面図
【図９】保護カバーの概略的な一部拡大分解断面図
【図１０】実施形態３の保護カバーの概略的な一部拡大断面図
【図１１】保護カバーの製造過程において汎用積層シートに印刷層および硬化樹脂層を形成した状態を示す一部拡大分解断面図
【図１２】保護カバーの製造過程において表示面カバー部を形成した状態を示す一部拡大断面図
【図１３】保護カバーの製造過程において表示面カバー部の一部を除去した状態を示す一部拡大分解断面図
【考案を実施するための形態】
【００１５】
＜実施形態１＞
実施形態１を図１ないし図７によって説明する。本実施形態にかかる保護カバー１０は、例えば、スマートフォンやタブレット型ＰＣ等の携帯用表示装置１００の表示部１０１を覆うように装着されて、当該表示部１０１を保護するためのものである（図５参照）。また本実施形態の保護カバー１０は、周縁部が曲面状に面取りされた曲面部１０１Ａとされるとともに、その内側が、曲面部１０１Ａに連なる平坦な表示面１０１Ｂとされた表示部１０１に対して装着される（図７参照）。以下、図１の上方を上、下方を下として説明する。
【００１６】
本実施形態の保護カバー１０は、図１に示すように、下層側から剥離シート１２、シリコン系粘着層１３（粘着層の一例）、粘着層用シート１４、第２軟質樹脂シート１５、基材シート１６、印刷層１７、硬化樹脂層１８、第１軟質樹脂シート１９、強化ガラス２１、が順に積層された平坦な板状の表示面カバー部２５を備えてなる。この保護カバー１０は、剥離シート１２を剥離することにより露出されるシリコン系粘着層１３を表示装置１００の表示面１０１Ｂに貼り付け、強化ガラス２１を表示面１０１Ｂとは反対の外側に配する構成のものである。
【００１７】
本実施形態において、上述した各層のうち下層側から３つの層、すなわち、剥離シート１２と、シリコン系粘着層１３と、粘着層用シート１４と、の積層部分は、汎用の表面保護用粘着シートである（以下、汎用積層シート１１とする）。シリコン系粘着層１３は吸着性を有しており、表示部１０１に対して繰り返し貼り付けたり、取り外したりすることが可能である。また剥離シート１２および粘着層用シート１４は、ＰＥＴ製である。これら剥離シート１２、シリコン系粘着層１３、粘着層用シート１４の厚さは、いずれも、約５０μｍである。
【００１８】
印刷層１７は、ＰＥＴ製の基材シート１６の表面（シリコン系粘着層１３が配された面と反対側の面）に設けられた、例えば周縁部に沿って設けられる額縁や、文字や装飾用の模様等である。この印刷層１７は、隠蔽性を有する着色インキを、例えばスクリーン印刷等の公知の印刷手法で印刷することにより設けられる。本実施形態において基材シート１６の厚さは約５０μｍ、印刷層の厚さは約７μｍである。
【００１９】
硬化樹脂層１８の材料として、本実施形態では、紫外線硬化型の光学透明樹脂（ＯＣＲ：Optically Clear Resin）が使用されている。硬化樹脂層１８は、基材シート１６と、この基材シート１６上に形成された印刷層１７との間の段差を埋めるように、印刷層１７の厚さよりも厚くなるように設けられている。換言すると、印刷層１７は硬化樹脂層１８に埋め込まれている。具体的には、本実施形態では、印刷が施されていない部分（非印刷部）における硬化樹脂層１８の厚さは約３０μｍ、とされている。
【００２０】
本実施形態の第１および第２軟質樹脂シート１９，１５は、粘着性を有する光学透明粘着シート（ＯＣＡ：Optically Clear Adhesive）である。これらの軟質樹脂シート１９，１５はゲル状の柔らかい固体からなり、その厚み寸法の約１０〜２０％の割合で変形可能である。本実施形態において第１軟質樹脂シート１９の厚さは約２５μｍ、第２軟質樹脂シート１５の厚さは約１００μｍである。
【００２１】
強化ガラス２１は特に限定されるものでなく、汎用のものが使用可能である。本実施形態では、板厚が約０．４ｍｍのゴリラガラスを使用している。
【００２２】
これら表示面カバー部２５のうち、下層側の汎用積層シート１１および第２軟質樹脂シート１５は、上層側の５層、すなわち、強化ガラス２１、第１軟質樹脂シート１９、硬化樹脂層１８、印刷層１７、および、基材シート１６の積層体より一回り小さい寸法に設定されている。なお、上層側の５層のうち、強化ガラス２１を除く４層の積層部分を、以下、段差吸収部２０とよぶこととする。
【００２３】
本実施形態の保護カバー１０は、保護壁３０を有している。保護壁３０は、図５に示すように、表示面カバー部２５の周縁部に沿う枠状に設けられており、図１に示すように、下面側において露出された基材シート１６に固定され、下方（表示部１０１側）に向けて突出している。
【００２４】
保護壁３０は、その基端側（上層側）の第３軟質樹脂シート３１（ＯＣＲ製）と、第３軟質樹脂シート３１より硬度が高い先端側の硬質樹脂３２（ＰＥＴ製）と、の２層構造とされている。第３軟質樹脂シート３１の厚さは約１５０μｍ、硬質樹脂３２の厚さは約１００μｍである。
【００２５】
保護壁３０は、表示面カバー部２５の剥離シート１２が取り外された状態において、シリコン系粘着層１３の下面よりも４０〜５０μｍ程度下方（表示部１０１側）に突出する寸法に設定されている。本実施形態の保護壁３０は、保護カバー１０が表示装置１００の表示部１０１に装着された状態において、その先端部が表示部１０１の曲面部１０１Ａに当接する長さ寸法に設定されており、これにより、表示面カバー部２５と曲面部１０１Ａとの間の隙間のほぼ全体が塞がれるようになっている（図７参照）。
【００２６】
なお、保護壁３０と、汎用積層シート１１および第２軟質樹脂シート１５の積層体との間の隙間の幅寸法Ｌ（図１参照）は、約０．５〜１ｍｍとされている。
【００２７】
このような本実施形態の保護カバー１０は、例えば以下のように製造される。
【００２８】
まず、基材シート１６の表面に、スクリーン印刷により部分的に印刷層１７を形成する（図２参照）。そして、印刷層１７の上面から液体状の硬化性樹脂（ＯＣＲ）を塗布し、印刷層１７および基材シート１６の間の段差を埋めるとともに、印刷層１７全体を覆うように埋め込む。その後、硬化性樹脂（ＯＣＲ）を紫外線により硬化させることにより、硬化樹脂層１８を形成する（図３参照）。
【００２９】
この状態において、硬化樹脂層１８のうち印刷層１７が形成されていない領域に塗布された部分は、印刷層１７に重ねて塗布された部分と比較して塗布厚が厚くなっているため、硬化収縮により、表面が基材シート１６側（下方）に向けて僅かに窪んだ状態となる場合がある。
【００３０】
次に、硬化後の硬化樹脂層１８の上面に第１軟質樹脂シート１９（ＯＣＡ）を積層する（図４参照）。この第１軟質樹脂シート１９は比較的柔らかいため、硬化樹脂層１８の上面に窪みがある場合でも、窪みに追従するように積層される。
【００３１】
次に、第１軟質樹脂シート１９に平滑な強化ガラス２１を積層する。この時、硬化樹脂層１８の窪みの影響により第１軟質樹脂シート１９の表面にうねりが生じている場合でも、第１軟質樹脂シート１９は、上述したようにその厚み寸法の１０〜２０％の割合で変形可能であるから、平滑な強化ガラス２１はうねりを第１軟質樹脂シート１９に吸収させながら、当該第１軟質樹脂シート１９に隙間なくぴったりと重ね合わされる。
【００３２】
一方、基材シート１６の下面側のうち、端縁部から所定距離を隔てた内側の領域には、第２軟質樹脂シート１５（ＯＣＡ）を介して汎用積層シート１１を貼り付ける。この時、硬化樹脂層１８の収縮の影響により基材シート１６にうねりが生じている場合でも、第２軟質樹脂シート１５は、うねりに追従するように積層されるとともに、うねりを吸収する。
【００３３】
最後に、第３軟質樹脂シート３１および硬質樹脂３２が一体に積層された枠状の保護壁３０を、粘着性を有する第３軟質樹脂シート３１により、表示面カバー部２５の周縁部に露出された基材シート１６の縁部に沿って貼り付ける（図４ないし図６参照）。
【００３４】
このようにして、実施形態１の保護カバー１０が完成する。
【００３５】
次に、本実施形態の保護カバー１０の作用効果について説明する。本実施形態の保護カバー１０によれば、印刷層１７と基材シート１６（非印刷部）との間の段差は、硬化樹脂層１８により埋められた状態とされている。すなわち、硬化樹脂層１８を形成する硬化前の硬化性樹脂は液状であるため、印刷層１７を覆うように塗布されることで、段差は隙間を残すことなく確実に埋められる。また、塗布された硬化性樹脂の表面を、平坦に均すことができる。
【００３６】
また、硬化性樹脂が硬化した際には、その硬化収縮により、硬化樹脂層１８の表面に窪みが生じる場合があるが、硬化樹脂層１８に積層される第１軟質樹脂シート１９は比較的柔らかいから、この窪みに追従するように隙間のない状態で重ねられる。
【００３７】
さらに、この第１軟質樹脂シート１９に平滑な強化ガラス２１が積層された際には、第１軟質樹脂シート１９は、下面側が硬化樹脂層１８に追従するとともに上面側が強化ガラス２１に押さえられる。これにより、第１軟質樹脂シート１９自体が変形して窪みを吸収し、もって、段差吸収部２０および強化ガラス２１の積層体が平坦な状態に維持される。
【００３８】
このように本実施形態の保護カバー１０は、印刷層１７による段差を硬化樹脂層１８により埋めるとともに、硬化樹脂層１８の収縮を第１軟質樹脂シート１９に吸収させる段差吸収部２０を備える構成とされているから、平坦な表示面カバー部２５を有する保護カバー１０とすることができる。もって、保護カバー１０を表示装置１００の表示部１０１に装着する際、保護カバー１０の表示面カバー部２５と表示面１０１Ｂとの間に気泡が混入することが抑制される。
【００３９】
また、強化ガラス２１は粘着性を有する第１軟質樹脂シート１９に重ね合わされているから、万一強化ガラス２１が破損した際でも、その破片が飛散することを抑制することができる。
【００４０】
一方、硬化樹脂層１８の硬化収縮が基材シート１６側にまで影響し、基材シート１６がうねった状態となる場合があるが、そのような場合でも、本実施形態の保護カバー１０は、基材シート１６に第２軟質樹脂シート１５が重ねられる構成とされているから、この第２軟質樹脂シート１５により基材シート１６のうねりを吸収し、平坦な状態とすることができる。
【００４１】
また、本実施形態の保護カバー１０は保護壁３０を備えているから、この保護壁３０により、表示面カバー部２５と表示部１０１の曲面部１０１Ａとの間の隙間の一部を覆うことができる（図７参照）。すなわち、保護壁３０により、保護カバー１０の側縁部から表示面カバー部２５と曲面部１０１Ａとの間の隙間に埃やごみが入り込んだり、物が指が引っ掛かったりすることを抑制することができる。
【００４２】
また保護壁３０は、その基端側に配された第３軟質樹脂シート３１と、先端側に配され第３軟質樹脂シート３１より硬度が高い硬質樹脂３２とから構成されているから、表示部１０１と表示面カバー部２５との大きさ（寸法）が僅かに異なっていたり、表示部１０１に対して表示面カバー部２５が僅かにずれて貼り付けられた場合でも、第３軟質樹脂シート３１が僅かに変形することにより、保護壁３０が表示装置１００の側面にぴったり沿うように保護カバー１０を取り付けることが可能である。
【００４３】
また、保護壁３０は露出された基材シート１６の下面に貼り付けられることにより固定される構成とされているから、保護壁３０とシリコン系粘着層１３との間の溝状の隙間に異物が入り込んだとしても、異物が隙間に露出している基材シート１６に貼り付くことがない。
【００４４】
また、本実施形態の保護カバー１０によれば、シリコン系粘着層１３を汎用の汎用積層シート１１を利用して設けるようにしているから、簡単かつ安価な製造コストで製造することができる。
【００４５】
さらに、保護カバー１０を表示面１０１Ｂに貼り付けるための粘着層はシリコン系とされているから、表示面１０１Ｂとの間に気泡が入り難く、また、表示面１０１Ｂに対して繰り返し貼り付けたり、取り外したりすることが可能である。
【００４６】
＜実施形態２＞
次に、実施形態２を図８および図９によって説明する。なお、以下の説明においては、実施形態１と重複する部分は詳細な説明を省略する。また、実施形態１と同一の構成要素については、実施形態１の構成要素に付した符号に３０を足した符号を使用することとする。
【００４７】
実施形態２の保護カバー４０は、上述した実施形態１の保護カバー１０とは次の３つの構成が相違している。
【００４８】
第１に、基材シート４６に重ねて設けられる印刷層４７および硬化樹脂層４８が、実施形態１では上面側（強化ガラス２１側）に設けられていたのに対し、本実施形態では下面側（シリコン系粘着層４３側）設けられている点が相違している。
【００４９】
第２に、硬化樹脂層４８は、液状の硬化性樹脂を印刷層４７の厚さとほぼ同等の厚さに塗布し、すなわち、印刷層４７が形成されていない非印刷部だけを埋めるように塗布し、硬化させることにより設けられている点が相違している。これにより、印刷層４７の表面は硬化樹脂層４８から露出している。
【００５０】
第３に、上記構成に伴って、保護壁６０は、露出された印刷層４７に固定されている。
【００５１】
このような実施形態２の保護カバー４０においては、基材シート４６、印刷層４７、硬化樹脂層４８、および、第２軟質樹脂シート４５が、段差を吸収する段差吸収部５０として機能している。すなわち、硬化樹脂層４８の表面に硬化収縮による窪みが生じた場合でも、その窪みは第２軟質樹脂シート４５により吸収されるようになっているから、保護カバー４０を表示装置１００の表示部１０１に貼り付ける際に、気泡が混入し難い平坦な構成とすることができる。
【００５２】
また、硬化樹脂層４８の収縮の影響が基材シート４６にまで及んで基材シート４６にうねりが生じた場合でも、第１軟質樹脂シート４９がそのうねりを吸収可能であるから、保護カバー４０を平坦な状態に保つことができる。
【００５３】
その他、上記実施形態１と同様の作用効果を奏する。
【００５４】
＜実施形態３＞
次に、実施形態３を図１０ないし図１３により説明する。本実施形態も、以下の説明においては実施形態１と重複する部分は詳細な説明を省略する。また、実施形態１と同一の構成要素については、実施形態１の構成要素に付した符号に６０を足した符号を使用することとする。
【００５５】
本実施形態の保護カバー７０は、汎用積層シート７１の粘着層用シート７４に直接的に印刷層７７を形成したところが上記実施形態１と相違している（図１０参照）。すなわち、粘着層用シート７４が基材シート７６としても機能している。
【００５６】
このような本実施形態の保護カバー７０は、例えば次のように製造することができる。
【００５７】
まず、粘着層用シート７４（基材シートの一例）の表面に、スクリーン印刷により部分的に印刷層７７を形成し、印刷層７７の上面から液体状の光学透明樹脂（ＯＣＲ）を塗布して硬化させることにより、硬化樹脂層７８を形成する（図１１参照）。
【００５８】
次に、硬化後の硬化樹脂層７８の上面に軟質樹脂シート７９を積層するとともに、軟質樹脂シート７９の上に強化ガラス８１を積層する（図１２参照）。
【００５９】
次に、汎用積層シート７１の剥離シート７２側からレーザーを照射し、その周縁部を粘着層用シート７４にかかるまで除去する（図１３参照）。そして、露出された粘着層用シート７４に保護壁９０を貼り付けて固定する。このようにして、実施形態３の保護カバー７０が完成する。
【００６０】
このような本実施形態の保護カバー７０によれば、上記実施形態と同様の作用効果に加え、汎用積層シート７１の粘着層用シート７４を上記実施形態１，２の基材シート１６，４６と兼用し、印刷層７７を粘着層用シート７４に直接形成する構成としているから、上記保護カバー７０の積層構造を簡易にすることができる。また、本実施形態においても、汎用積層シート７１を利用することにより、段差吸収部８０にシリコン系粘着層７３を簡単に配することができる。
【００６１】
＜他の実施形態＞
本明細書に開示される技術は上記記述及び図面によって説明した実施形態に限定されるものではなく、例えば次のような実施形態も技術的範囲に含まれる。
【００６２】
（１）上記実施形態１ないし３では、保護壁３０，６０，９０を基端側に配される第３軟質樹脂シート３１，６１，９１と、先端側に配される硬質樹脂３２，６２，９２とからなる２層構造の例を示したが、必ずしも２層構造でなくてもよく、１層や３層以上としてもよい。
【００６３】
（２）また上記実施形態では、表示面カバー部２５，５５，８５に枠状の保護壁３０，６０，９０を貼り付ける構成としたが、例えば、表示面カバー部にシルク印刷やポッティング印刷等により厚塗り印刷した印刷層を設けることにより、保護壁を設ける構成としてもよい。
【００６４】
（３）上記実施形態では、表示面カバー部２５，５５，８５が段差吸収部２０，５０，８０を備える構成を例示したが、段差吸収部は必ずしも必要でない。例えば、強化ガラスに直接保護壁を設ける構成も、本明細書に開示される技術的範囲に含まれる。
【００６５】
（４）また、段差吸収部を設ける場合でも、保護壁を基材シート以外の部分に固定する構成としてもよい。
【００６６】
（５）上記実施形態では、保護壁３０，６０，９０が表示面カバー部２５，５５，８５と曲面部１０１Ａとの間の隙間を完全に塞ぐ長さ寸法に設定したが、隙間の一部を塞ぐ長さ寸法としてもよい。
【００６７】
（６）粘着層はシリコン系粘着材に限らず、他の材料にて構成されていてもよい。
【００６８】
（７）また上記実施形態では、保護板として強化ガラス２１，５１，８１を使用したが、ＰＭＭＡ等の硬質樹脂を使用してもよい。
【符号の説明】
【００６９】
１０，４０，７０…保護カバー
１１、４１，７１…汎用積層シート
１３，４３，７３…シリコン系粘着層（粘着層）
１４、４４…粘着層用シート
１５，４５…第２軟質樹脂シート
１６，４６…基材シート
１７，４７，７７…印刷層
１８，４８，７８…硬化樹脂層
１９，４９…第１軟質樹脂シート
２０，５０，８０…段差吸収部
２１，５１，８１…強化ガラス
２５，５５，８５…表面カバー部
３０，６０，９０…保護壁
３１，６１，９１…第３軟質樹脂シート（軟質層）
３２，６２，９２…硬質樹脂（硬質層）
７４…粘着層用シート
７９…軟質樹脂シート
１００…表示装置
１０１…表示部
１０１Ａ…曲面部
１０１Ｂ…表示面
【図１】
0003200539.tif 000003
【図２】
0003200539.tif 000004
【図３】
0003200539.tif 000005
【図４】
0003200539.tif 000006
【図５】
0003200539.tif 000007
【図６】
0003200539.tif 000008
【図７】
0003200539.tif 000009
【図８】
0003200539.tif 000010
【図９】
0003200539.tif 000011
【図１０】
0003200539.tif 000012
【図１１】
0003200539.tif 000013
【図１２】
0003200539.tif 000014
【図１３】
0003200539.tif 000015